(57)【要約】【課題】開閉器の開閉制御装置と電気的に接続することなく開閉器の状態を適切に測定する。【解決手段】電源線１０４ａに流れる直流電流Ｉｒを計測するクランプ式交流変流器ＣＴ１と、電源線１０４ｂに流れる直流電流Ｉｇを計測するクランプ式交流変流器ＣＴ２と、クランプ式交流変流器ＣＴ１により計測される直流電流Ｉｒの変化と、クランプ式交流変流器ＣＴ２により計測される直流電流Ｉｇの変化と、を検出し、直流電流Ｉｒの変化の検出結果である遮断器閉検出信号Ｄａと直流電流Ｉｇの変化の検出結果である遮断器開検出信号Ｄｂとを生成する状態信号生成部２２０と、状態信号生成部２２０により生成された遮断器閉検出信号Ｄａと遮断器開検出信号Ｄｂとを記憶する記憶部２４０と、記憶部２４０に記憶された遮断器閉検出信号Ｄａと遮断器開検出信号Ｄｂとに基づいて、補助接点５２ａ２と補助接点５２ｂ２との開閉特性を判定する判定部２６０と、を有する開閉器状態測定装置。【選択図】図２
2010182464.tif 000002
【特許請求の範囲】
【請求項１】
開閉器の閉操作の際に閉じて開操作の際に開くリレーの第１接点と、当該第１接点が閉じた場合に通電して点灯する第１光源と、当該第１接点と当該第１光源とを直列に接続する第１電源線と、当該第１接点とは相補的に当該開閉器の開操作の際に閉じて閉操作の際に開くリレーの第２接点と、当該第２接点が閉じた場合に通電して点灯する第２光源と、当該第２接点と当該第２光源とを直列に接続する第２電源線と、を有した当該開閉器の開閉を制御する開閉制御装置に対し、当該開閉器の状態を測定する開閉器状態測定装置であって、
前記第１電源線を取り囲むクランプ部を有し、前記第１電源線に流れる第１直流電流を計測する第１クランプ式交流変流器と、
前記第２電源線を取り囲むクランプ部を有し、前記第２電源線に流れる第２直流電流を計測する第２クランプ式交流変流器と、
前記第１クランプ式交流変流器により計測される第１直流電流の変化と、前記第２クランプ式交流変流器により計測される第２直流電流の変化と、を検出し、当該第１直流電流の変化の検出結果である第１状態信号と当該第２直流電流の変化の検出結果である第２状態信号とを生成する状態信号生成部と、
前記状態信号生成部により生成された前記第１状態信号と前記第２状態信号とを記憶する記憶部と、
前記記憶部に記憶された前記第１状態信号と前記第２状態信号とに基づいて、前記第１接点及び前記第２接点の開閉特性を判定する判定部と、
を有することを特徴とする開閉器状態測定装置。
【請求項２】
請求項１に記載の開閉器状態測定装置であって、
前記判定部は、前記第１状態信号が示す第１直流電流の変化の出現時刻と、前記第２状態信号が示す第２直流電流の変化の出現時刻と、の差に基づいて、前記第１接点及び前記第２接点の開閉特性を判定すること、
を特徴とする開閉器状態測定装置。
【請求項３】
請求項２に記載の開閉器状態測定装置であって、
前記第１クランプ式交流変流器は、前記第１電源線に流れる第１直流電流の変化を第１交流電流として計測し、
前記第２クランプ式交流変流器は、前記第２電源線に流れる第２直流電流の変化を第２交流電流として計測し、
前記判定部は、前記第１クランプ式交流変流器により計測された前記第１交流電流のレベル変化に基づいて前記第１直流電流の変化の出現時刻を判定するとともに、前記第２クランプ式交流変流器により計測された前記第２交流電流のレベル変化に基づいて前記第２直流電流の変化の出現時刻を判定すること、
を特徴とする開閉器状態測定装置。
【請求項４】
請求項３に記載の開閉器状態測定装置であって、
前記状態信号生成部は、
前記第１交流電流に応じたクランプ部における第１誘起電圧に基づいて、前記第１光源の点灯を検出した旨を示す第１光源点灯状態検出信号と、前記第１光源の消灯を検出した旨を示す第１光源消灯状態検出信号と、を生成する第１光源状態検出信号生成部と、
前記第２交流電流に応じたクランプ部における第２誘起電圧に基づいて、前記第２光源の点灯を検出した旨を示す第２光源点灯状態検出信号と、前記第２光源の消灯を検出した旨を示す第２光源消灯状態検出信号と、を生成する第２光源状態検出信号生成部と、
を有することを特徴とする開閉器状態測定装置。
【請求項５】
請求項４に記載の開閉器状態測定装置であって、
前記第１光源状態検出信号生成部は、
前記第１誘起電圧の正電圧側への変化と所定の正電圧の第１基準電圧とを比較する第１比較部と、
前記第１比較部の出力をクロック入力とし、前記第１比較部の出力が前記第１誘起電圧の正電圧側への変化が前記第１基準電圧を上回る場合に、所定の論理レベルの前記第１光源点灯状態検出信号を出力する第１フリップフロップと、
前記第１誘起電圧の負電圧側への変化と所定の負電圧の第２基準電圧とを比較する第２比較部と、
前記第２比較部の出力をクロック入力とし、前記第２比較部の出力が前記第１誘起電圧の負電圧側への変化が前記第２基準電圧を下回る場合に、所定の論理レベルの前記第１光源消灯状態検出信号を出力する第２フリップフロップと、
を有し、
前記第２光源状態検出信号生成部は、
前記第２誘起電圧の正電圧側への変化と所定の正電圧の第３基準電圧とを比較する第３比較部と、
前記第３比較部の出力をクロック入力とし、前記第３比較部の出力が前記第２誘起電圧の正電圧側への変化が前記第２基準電圧を上回る場合に、所定の論理レベルの前記第２光源点灯状態検出信号を出力する第３フリップフロップと、
前記第２誘起電圧の負電圧側への変化と所定の負電圧の第４基準電圧とを比較する第４比較部と、
前記第４比較部の出力をクロック入力とし、前記第４比較部の出力が前記第２誘起電圧の負電圧側への変化が前記第４基準電圧を下回る場合に、所定の論理レベルの前記第２光源消灯状態検出信号を出力する第４フリップフロップと、
を有することを特徴とする開閉器状態測定装置。
【発明の詳細な説明】
【技術分野】
【０００１】
本発明は、開閉器状態測定装置に関する。
【背景技術】
【０００２】
遮断器又は断路器である開閉器の状態測定装置は、開閉操作指令に対する開閉器の開閉特性（開閉速度、開閉時の電流等）を測定する装置であり、開閉器の開閉を制御する開閉制御装置の端子台にリード線を介して接続して用いられる。つまり、開閉器状態測定装置は、特許文献１に開示された遮断器の消耗測定装置のように、開閉制御装置と電気的に接続された状態で用いられる。
【０００３】
図４は、開閉器である遮断器５２の開閉制御装置４００と開閉器状態測定装置３００との間が電気的に接続されることを示した図である。同図に示す中で、「５２」は遮断器を示し、「５２Ｔ」は遮断コイルを示し、「５２Ｃ」は投入コイルを示し、「５２ｂ」は投入コイル５２Ｃを通電させるための遮断器パレットのｂ接点を示し、「５２ａ」は遮断コイル５２Ｔを通電させるための遮断器パレットのａ接点を示している。これらの記号は日本電気工業会規格ＪＥＭ１０９０（制御器具番号）に準拠している。
【０００４】
開閉制御装置４００は、遮断コイル５２Ｔと＋側電源との間に、遮断コイル５２Ｔの通電時に流れる電流を検出するための電流センサ４１０ａを備えており、投入コイル５２Ｃと＋側電源との間に、投入コイル５２Ｃの通電時に流れる電流を検出するための電流センサ４１０ｂを備えている。尚、開閉器状態測定装置３００は、遮断器５２の開閉時に流れる電流の状態を検出する場合、リード線４２０ａ、４２０ｂを介して開閉制御装置４００の電流センサ４１０ａ、４１０ｂと接続する。
【０００５】
また、開閉制御装置４００は、ａ接点５２ａと−側電源との間に接続点４３０ａを設けており、また、ｂ接点５２ｂと−側電源との間に接続点４３０ｂを設けている。開閉器状態測定装置３００は、遮断器５２の開閉状態を検出するために、リード線４４０ａ、４４０ｂを介して接続点４３０ａ、４３０ｂと接続されている。
【特許文献１】特開２００３−２８１９７５号公報
【発明の開示】
【発明が解決しようとする課題】
【０００６】
以下では、遮断器の開閉を制御する開閉制御装置と遮断器の状態を測定する開閉器状態測定装置との間の電気的な接続に関する課題を、図４に示した場合を例に挙げて説明する。
【０００７】
開閉制御装置４００側の課題としては、開閉制御装置４００に電流センサ４１０ａ、４１０ｂを取り付ける場合や端子台から接続点４３０ａ、４３０ｂを引き出す際の配線を誤ると、例えば、遮断器５２の閉指令であるにも関わらず遮断器５２が誤って開いてしまい、遮断器５２より延設される電力系統の停電を引き起こす虞がある。そこで、これらの対策として、誤配線による遮断器５２の誤遮断対策向けの機能を開閉制御装置４００に増設して高精度化を図る必要があり高額になるという課題がある。
【０００８】
開閉器状態測定装置３００側の課題としては、開閉制御装置４００と電気的に接続するので、開閉器状態測定装置３００を民需仕様ではなく特殊仕様（電力用規格）に対応させる必要がある。さらに、開閉器状態測定装置３００を誤って開閉制御装置４００の端子台の充電中の端子や配線に接続すると、開閉器状態測定装置３００が故障する可能性や遮断器５２が誤って開く虞がある。そこで、これらの対策向けの機能を開閉器状態測定装置３００に増説して高精度化を図る必要があり高額になるという課題がある。
【０００９】
本発明は、上記課題を鑑みてなされたものであり、その主たる目的は、遮断器又は断路器である開閉器の開閉制御装置と電気的に接続することなく開閉器の特性を適切に測定可能な開閉器状態測定装置を提供することである。
【課題を解決するための手段】
【００１０】
上記課題を解決するための主たる本発明は、開閉器の閉操作の際に閉じて開操作の際に開くリレーの第１接点と、当該第１接点が閉じた場合に通電して点灯する第１光源と、当該第１接点と当該第１光源とを直列に接続する第１電源線と、当該第１接点とは相補的に当該開閉器の開操作の際に閉じて閉操作の際に開くリレーの第２接点と、当該第２接点が閉じた場合に通電して点灯する第２光源と、当該第２接点と当該第２光源とを直列に接続する第２電源線と、を有した当該開閉器の開閉を制御する開閉制御装置に対し、当該開閉器の状態を測定する開閉器状態測定装置であって、前記第１電源線を取り囲むクランプ部を有し、前記第１電源線に流れる第１直流電流を計測する第１クランプ式交流変流器と、前記第２電源線を取り囲むクランプ部を有し、前記第２電源線に流れる第２直流電流を計測する第２クランプ式交流変流器と、前記第１クランプ式交流変流器により計測される第１直流電流の変化と、前記第２クランプ式交流変流器により計測される第２直流電流の変化と、を検出し、当該第１直流電流の変化の検出結果である第１状態信号と当該第２直流電流の変化の検出結果である第２状態信号とを生成する状態信号生成部と、前記状態信号生成部により生成された前記第１状態信号と前記第２状態信号とを記憶する記憶部と、前記記憶部に記憶された前記第１状態信号と前記第２状態信号とに基づいて、前記第１接点及び前記第２接点の開閉特性を判定する判定部と、を有することを特徴とする。
【００１１】
また、上記の開閉器状態測定装置であって、前記判定部は、前記第１状態信号が示す第１直流電流の変化の出現時刻と、前記第２状態信号が示す第２直流電流の変化の出現時刻と、の差に基づいて、前記第１接点及び前記第２接点の開閉特性を判定すること、としてもよい。
【００１２】
また、上記の開閉器状態測定装置であって、前記第１クランプ式交流変流器は、前記第１電源線に流れる第１直流電流の変化を第１交流電流として計測し、前記第２クランプ式交流変流器は、前記第２電源線に流れる第２直流電流の変化を第２交流電流として計測し、前記判定部は、前記第１クランプ式交流変流器により計測された前記第１交流電流のレベル変化に基づいて前記第１直流電流の変化の出現時刻を判定するとともに、前記第２クランプ式交流変流器により計測された前記第２交流電流のレベル変化に基づいて前記第２直流電流の変化の出現時刻を判定すること、としてもよい。
【００１３】
また、上記の開閉器状態測定装置であって、前記状態信号生成部は、前記第１交流電流に応じたクランプ部における第１誘起電圧に基づいて、前記第１光源の点灯を検出した旨を示す第１光源点灯状態検出信号と、前記第１光源の消灯を検出した旨を示す第１光源消灯状態検出信号と、を生成する第１光源状態検出信号生成部と、前記第２交流電流に応じたクランプ部における第２誘起電圧に基づいて、前記第２光源の点灯を検出した旨を示す第２光源点灯状態検出信号と、前記第２光源の消灯を検出した旨を示す第２光源消灯状態検出信号と、を生成する第２光源状態検出信号生成部と、を有してもよい。
【００１４】
また、上記の開閉器状態測定装置であって、前記第１光源状態検出信号生成部は、前記第１誘起電圧の正電圧側への変化と所定の正電圧の第１基準電圧とを比較する第１比較部と、前記第１比較部の出力をクロック入力とし、前記第１比較部の出力が前記第１誘起電圧の正電圧側への変化が前記第１基準電圧を上回る場合に、所定の論理レベルの前記第１光源点灯状態検出信号を出力する第１フリップフロップと、前記第１誘起電圧の負電圧側への変化と所定の負電圧の第２基準電圧とを比較する第２比較部と、前記第２比較部の出力をクロック入力とし、前記第２比較部の出力が前記第１誘起電圧の負電圧側への変化が前記第２基準電圧を下回る場合に、所定の論理レベルの前記第１光源消灯状態検出信号を出力する第２フリップフロップと、を有し、前記第２光源状態検出信号生成部は、前記第２誘起電圧の正電圧側への変化と所定の正電圧の第３基準電圧とを比較する第３比較部と、前記第３比較部の出力をクロック入力とし、前記第３比較部の出力が前記第２誘起電圧の正電圧側への変化が前記第２基準電圧を上回る場合に、所定の論理レベルの前記第２光源点灯状態検出信号を出力する第３フリップフロップと、前記第２誘起電圧の負電圧側への変化と所定の負電圧の第４基準電圧とを比較する第４比較部と、前記第４比較部の出力をクロック入力とし、前記第４比較部の出力が前記第２誘起電圧の負電圧側への変化が前記第４基準電圧を下回る場合に、所定の論理レベルの前記第２光源消灯状態検出信号を出力する第４フリップフロップと、を有してもよい。
【発明の効果】
【００１５】
本発明に示されるとおり、開閉器の開閉制御装置と電気的に接続することなく開閉器の状態を測定可能な開閉器状態測定装置を提供することができる。
【発明を実施するための最良の形態】
【００１６】
以下、図面を参照しながら、本発明を実施するための最良の形態を説明する。
【００１７】
＝＝＝開閉器の開閉制御装置の構成＝＝＝
図１は、本発明の実施の形態に係る開閉器の開閉制御装置の一例として開閉器が遮断器である場合の開閉制御装置の構成を示した図である。同図に示す記号の中で、「５２」は遮断器を示し、「５２入」は遮断器５２の手動閉操作の際に閉じるリレーのａ接点を示し、「５２切」は遮断器５２の手動開操作の際に閉じるリレーのａ接点を示す。「５２ａ１」、「５２ｂ１」は遮断器５２の不図示の主接点（例えば、２組のｂ接点）と連動して開閉する補助接点（ａ接点、ｂ接点；遮断器パレット）を示す。「５２ａ２」、「５２ｂ２」は、「５２ａ１」、「５２ｂ１」と同様に、遮断器５２の不図示の主接点と連動して開閉する補助接点（ａ接点、ｂ接点；遮断器パレット）を示す。尚、遮断器５２の主接点が閉じる場合には、その閉操作に連動してｂ接点である補助接点５２ｂ１が閉じるとともにａ接点である補助接点５２ａ２が閉じ、一方、遮断器５２の主接点が開く場合には、その開操作に連動してａ接点である補助接点５２ａ１が閉じるとともにｂ接点である補助接点５２ｂ２が閉じる場合とする。尚、上記の記号は日本電気工業会規格ＪＥＭ１０９０（制御器具番号）に従ったものである。
【００１８】
また、「ＴＣ」は遮断器５２を開操作するための主引き外しコイルである。「Ｘ」は投入用補助リレーであり、「Ｘａ」は投入用補助リレーＸによって開閉する接点である。「ＣＣ」は遮断器５２の主投入コイルである。「ＲＬ」は遮断器５２が閉状態（投入された状態）の際に補助接点５２ａ２（第１接点）が閉じることで直流電流Ｉｒ（第１直流電流）が通電して点灯する赤ランプ（第１光源）であり、「ＧＬ」は遮断器５２が開状態（引き外された状態）の際に補助接点５２ｂ２（第２接点）が閉じることで直流電流Ｉｇ（第２直流電流）が通電して点灯する緑ランプ（第２光源）である。
【００１９】
制御用直流電源の＋側と−側との間には、ａ接点５２入、投入用補助リレーＸ、補助接点５２ｂ１が直列接続され、また、ａ接点５２切、補助接点５２ａ１、主引き外しコイルＴＣが直列接続される。投入用直流電源の＋側と−側との間には、投入用補助リレーＸの接点Ｘａ、主投入コイルＣＣが直列接続される。表示用電源の＋側と−側との間には、補助接点５２ａ２、赤ランプＲＬが直列接続され、補助接点５２ｂ２、緑ランプＧＬが直列接続される。
【００２０】
遮断器５２が開状態から閉操作がなされる場合に、ａ接点５２入が閉じており、補助接点５２ｂ１を介して投入用補助リレーＸが通電することにより接点Ｘａが閉じる。これにより、遮断器５２の主投入コイルＣＣが通電し、遮断器５２の閉操作が開始される。遮断器５２の閉操作が完了したときには、補助接点５２ｂ１が開くとともに補助接点５２ａ１が閉じることになるため、投入用補助リレーＸが元の非通電の状態に復帰する。
【００２１】
ところで、遮断器５２が開状態のときには、補助接点５２ａ２が開いており、また補助接点５２ｂ２は閉じているため、赤ランプＲＬは消灯し、緑ランプＧＬは点灯しているがその後、遮断器５２の閉操作が完了すると、補助接点５２ａ２が閉じ、補助接点５２ｂ２が開くため、赤ランプＲＬが消灯から点灯に切り替わるとともに緑ランプＧＬは点灯から消灯に切り替わる。
【００２２】
遮断器５２が閉状態から開操作される場合、ａ接点５２切、補助接点５２ａ１が閉じて主引き外しコイルＴＣが通電することにより、遮断器５２が開くことになる。ところで、遮断器５２が閉状態のとき、補助接点５２ａ２が閉じており、補助接点５２ｂ２が開いているため、赤ランプＲＬは点灯し、緑ランプＧＬが消灯しているが、その後、遮断器５２の開操作が完了したときには、補助接点５２ａ２が開き、補助接点５２ｂ２が閉じるため、赤ランプＲＬが点灯から消灯に切り替わるとともに緑ランプＧＬが消灯から点灯に切り替わる。
【００２３】
＝＝＝開閉器状態測定装置の構成＝＝＝
図２は、本発明の実施の形態に係る開閉器状態測定装置の一例として開閉器が遮断器の場合における開閉器状態測定装置の構成を示した図である。
【００２４】
開閉器状態測定装置２００には、クランプ式交流変流器ＣＴ１、ＣＴ２がそれぞれシールドツイストペアケーブル１０６ａ、１０６ｂを介して接続される。シールドツイストペアケーブル１０６ａ、１０６ｂは、伝送時のノイズ対策として採用しているが、これに限られず、通常のツイストペアケーブルでもよいし、リード線を用いてもよい。
【００２５】
クランプ式交流変流器ＣＴ１、ＣＴ２は、ばね力によって閉じた状態に向けて付勢されるクランプ部１０２ａ、１０２ｂを備えており、クランプ部１０２ａ、１０２ｂを電流の測定対象となる測定導体を取り囲んで使用する変流器である。具体的には、クランプ式交流変流器ＣＴ１、ＣＴ２は、測定導体に流れる電流によってクランプ部１０２ａ、１０２ｂに誘起される誘起電圧に基づいて、測定導体に流れる電流を計測する。
【００２６】
尚、本実施形態の場合の測定導体とは、補助接点５２ａ２、赤ランプＲＬを表示用電源の＋側と−側との間に直列接続するための電源線１０４ａと、補助接点５２ｂ２、緑ランプＧＬをランプ電源の＋側と−側との間に直列接続するための電源線１０４ｂと、なる。つまり、クランプ式交流変流器ＣＴ１、ＣＴ２を用いて、開閉制御装置１００と開閉器状態測定装置２００との間の非接触な接続（電気的に接続されない）が行われる。
【００２７】
クランプ式交流変流器ＣＴ１は、電源線１０４ａの外周をクランプ部１０２ａで取り囲み、赤ランプＲＬに流れる直流電流Ｉｒの変化（通電、非通電）を交流電流ｉｒに応じた誘起電圧ｖｒとして計測する。尚、本実施形態の場合、交流電流ｉｒが０Ａを基準として正電流側に変化した場合には誘起電圧ｖｒも正電圧側に変化し、交流電流ｉｒが０Ａを基準として負電流側に変化した場合には誘起電圧ｖｒも負電圧側に変化するように、クランプ部１０２ａの巻線方向が定められているものとする。
【００２８】
同様に、クランプ式交流変流器ＣＴ２は、電源線１０４ｂの外周をクランプ部１０２ｂで取り囲み、緑ランプＧＬに流れる直流電流Ｉｇの変化（通電、非通電）を交流電流ｉｇに応じた誘起電圧ｖｇとして計測する。尚、本実施形態の場合、交流電流ｉｇが０Ａを基準として正電流側に変化した場合には誘起電圧ｖｇも正電圧側に変化し、交流電流ｉｇが０Ａを基準として負電流側に変化した場合には誘起電圧ｖｇも負電圧側に変化するように、クランプ部１０２ｂの巻線方向が定められているものとする。
【００２９】
以上、遮断器５２が運用状態であっても、開閉制御装置１００に対してクランプ式交流変流器ＣＴ１、ＣＴ２を用いて開閉器状態測定装置２００の取り付けが可能となる。また、開閉制御装置１００と開閉器状態測定装置２００との間が電気的に接続されずに済むため、誤配線による誤動作の発生を抑えることができる。また、開閉器状態測定装置２００は、特殊仕様に対応させる必要がなく、民需仕様への対応で済ませることができるため、低コストで実現することが可能となる。
【００３０】
開閉器状態測定装置２００は、クランプ式交流変流器ＣＴ１より計測された誘起電圧ｖｒと、クランプ式交流変流器ＣＴ２より計測された誘起電圧ｖｇと、が印加され、誘起電圧ｖｒ、誘起電圧ｖｇ夫々のレベル並びに極性に基づいて、赤ランプＲＬの点灯を検出したことを示す赤ランプ点灯検出信号Ｄａ１、赤ランプＲＬの消灯を検出したことを示す赤ランプ消灯検出信号Ｄａ２、緑ランプＧＬの点灯を検出したことを示す緑ランプ点灯検出信号Ｄｂ１、緑ランプＧＬの消灯を検出したことを示す緑ランプ消灯検出信号Ｄｂ２を生成する。また、開閉器状態測定装置２００は、赤ランプ点灯検出信号Ｄａ１、赤ランプ消灯検出信号Ｄａ２、緑ランプ点灯検出信号Ｄｂ１、緑ランプ消灯検出信号Ｄｂ２に基づいて、補助接点５２ａ２、５２ｂ２の開閉特性を測定する。
【００３１】
尚、補助接点５２ａ２、５２ｂ２の開閉特性とは、補助接点５２ｂ２が閉状態から開状態に切り替わった後に補助接点５２ａ２が開状態から閉状態に切り替わるまでの第１の遅延時間（又は第１の切り替わり速度）、補助接点５２ａ２が閉状態から開状態に切り替わった後に補助接点５２ｂ２が開状態から閉状態に切り替わるまでの第２の遅延時間（又は第２の切り替わり速度）、補助接点５２ａ２が閉じたときに電源線１０４ａに流れる直流電流Ｉｒのレベル、補助接点５２ｂ２が閉じたときに電源線１０４ｂに流れる直流電流Ｉｇのレベル等である。
【００３２】
例えば、上記の第１並びに第２の遅延時間を測定する場合、補助接点５２ａ２が閉じて暫く経過してから補助接点５２ｂ２が開き、補助接点５２ｂ２が開いて暫く経過してから補助接点５２ａ２が閉じるという補助接点５２ａ２、５２ｂ２の特性に着眼して、赤ランプ点灯検出信号Ｄａ１、赤ランプ消灯検出信号Ｄａ２が示す直流電流Ｉｒの変化と、緑ランプ点灯検出信号Ｄｂ１、緑ランプ消灯検出信号Ｄｂ２が示す直流電流Ｉｇの変化と、がそれぞれ出現する時期の差に基づいて、上記の第１の遅延時間並びに第２の遅延時間を判定することができる。
【００３３】
また、開閉器状態測定装置２００は、補助接点５２ａ２、５２ｂ２の開閉特性を測定することで、遮断器５２の開閉特性をも間接的に測定することができる。尚、遮断器５２の開閉特性としては、例えば、遮断器５２の開状態から閉状態への切り替わり速度、遮断器５２の閉状態から開状態への切り替わり速度、遮断器５２が開状態から閉状態へ切り替わる際の電流変化量、遮断器５２が閉状態から開状態へ切り替わる際の電流変化量等である。このような機能を具備した開閉器状態測定装置２００は、図２に示すように、状態信号生成部２２０、記憶部２４０、判定部２６０により構成することができる。
【００３４】
状態信号生成部２２０は、本願請求項に係る第１直流電流の変化の検出結果である第１状態信号の一実施形態である赤ランプ点灯検出信号Ｄａ１並びに赤ランプ消灯検出信号Ｄａ２を生成する機能（第１光源状態検出信号生成部）として、差動増幅部２０１ａ、基準電圧生成部２０２ａ、比較部２０３ａ（第１比較部）、比較部２０４ａ（第２比較部）、リセット部２０５ａ、Ｄフリップフロップ２０６ａ（第１フリップフロップ）、Ｄフリップフロップ２０７ａ（第２フリップフロップ）を備えている。
【００３５】
差動増幅部２０１ａは、所定のオペアンプに同図に示すように４個の抵抗を接続することで構成される。具体的には、反転入力端子、非反転入力端子に抵抗値Ｒ１の抵抗をそれぞれ接続し、負帰還経路上に抵抗値Ｒ２の抵抗を介在させるようにし、また、非反転入力端子を抵抗値Ｒ２を介して接地することで構成される。この場合、差動増幅部２０１ａの簡略的な増幅率はＲ２／Ｒ１である。差動増幅部２０１ａは、反転入力端子と非反転入力端子との間に誘起電圧ｖｒが印加されると、その誘起電圧ｖｒに増幅率Ｒ２／Ｒ１を掛け合わせた電圧ｖｒ’が出力される。尚、差動増幅部２０１ａは、オペアンプを用いて構成する以外にも、周知のとおり一対のバイポーラトランジスタに対し電流源を共通接続することで構成してもよい。
【００３６】
基準電圧生成部２０２ａは、正電源ＶＣＣと負電源ＶＥＥとの間に、同図に示すように、抵抗値Ｒ６の抵抗、最大抵抗値Ｒ５の可変抵抗と、最大抵抗値Ｒ５の可変抵抗、抵抗値Ｒ６の抵抗の順に直列接続し、且つ中点を接地することで構成される。尚、中点より正電源ＶＣＣ側の可変抵抗より比較部２０２ａで用いられる正電圧の基準電圧Ｖｓａ（第１基準電圧）が取り出され、中点より負電源ＶＥＥ側の可変抵抗より比較部２０２ｂで用いられる負電圧の基準電圧Ｖｒａ（第２基準電圧）が取り出される。尚、基準電圧Ｖｓａ、Ｖｒａは、クランプ式交流変流器ＣＴ１、ＣＴ２や、差動増幅部２０１ａ、２０１ｂの仕様に応じて、可変抵抗の抵抗値を変更することで、調整可能とする。
【００３７】
比較部２０３ａは、所定のオペアンプに同図に示すように反転入力端子と非反転入力端子に抵抗値Ｒ３の抵抗をそれぞれ接続し、出力端子に抵抗値Ｒ４の抵抗を接続することで構成される。さらに、比較部２０３ａは、反転入力端子に正電圧の基準電圧Ｖｓａが印加され、非反転入力に差動増幅部２０１ａの出力電圧ｖｒ’が印加される。本構成により、比較部２０３ａは、出力電圧ｖｒ’が基準電圧Ｖｓａを上回る場合にはＨｉｇｈレベルを出力し、一方、出力電圧ｖｒ’が基準電圧Ｖｓａを下回る場合にはＬｏｗレベルを出力する。つまり、出力電圧ｖｒ’が正電圧側に変化する場合には基準電圧Ｖｓａを上回るか若しくは下回るかの比較が行われ、比較部２０３ａの出力はＨｉｇｈレベル又はＬｏｗレベルに切り替わる。一方、出力電圧Ｖｒ’が負電圧側に変化する場合には正電圧の基準電圧Ｖｓａを上回る状態が起こらないため、比較部２０３ａの出力はＬｏｗレベルを維持する。
【００３８】
比較部２０３ｂは、比較部２０３ａと同様に、所定のオペアンプに同図に示すように反転入力端子と非反転入力端子に抵抗値Ｒ３の抵抗をそれぞれ接続し、出力端子に抵抗値Ｒ４の抵抗を接続することで構成される。尚、比較部２０３ｂは、比較部２０３ａとは異なり、反転入力端子に差動増幅部２０１ａの出力電圧ｖｒ’が印加され、非反転入力端子に基準電圧Ｖｒａが印加される。本構成により、比較部２０３ｂは、出力電圧ｖｒ’が基準電圧Ｖｒａを上回る場合にはＬｏｗレベルを出力し、一方、出力電圧ｖｒ’が基準電圧Ｖｒａを下回る場合にはＨｉｇｈレベルを出力する。つまり、出力電圧ｖｒ’が正電圧側に変化する場合には負電圧の基準電圧Ｖｓａを上回る状態が起こらないため、比較部２０３ｂの出力はＨｉｇｈレベルを維持し、一方、出力電圧Ｖｒ’が負電圧側に変化する場合には基準電圧Ｖｓａを上回るか若しくは下回るかの比較が行われ、比較部２０３ａの出力はＨｉｇｈレベル又はＬｏｗレベルに切り替わる。
【００３９】
以上より、出力電圧ｖｒ’が正電圧側に変化する場合には、比較部２０３ａの出力はＨｉｇｈレベル又はＬｏｗレベルに切り替わり、比較部２０３ｂの出力はＨｉｇｈレベルを維持する。一方、出力電圧ｖｒ’が負電圧側に変化する場合には、比較部２０３ａの出力はＬｏｗレベルを維持し、比較部２０３ｂの出力はＨｉｇｈレベル又はＬｏｗレベルに切り替わる。尚、比較部２０３ａ、２０３ｂは、オペアンプを用いて構成する以外に、コンパレータを用いて構成してもよい。
【００４０】
リセット部２０５ａは、同図に示すように単極双投スイッチによって実現される。Ｄフリップフロップ２０６ａ、２０７ｂをリセットする場合、２個の出力ポートの中で接地側の１個の出力ポートを選択する。一方、Ｄフリップフロップ２０６ａ、２０７ｂをリセットしない場合、２個の出力ポートの中で非接地側の１個の出力ポートを選択する。尚、リセット部２０５ａに対するリセット要求は、詳細は後述するが、判定部２６０より所定のタイミングで入力される。
【００４１】
Ｄフリップフロップ２０６ａは、データ入力端子Ｄ、クロック入力端子ＣＫ、出力端子Ｑ、クリア（リセット）端子ＣＬＲを少なくとも有する。データ入力端子ＤにはＨｉｇｈレベルに対応した正電源ＶＣＣが接続され、クロック入力端子ＣＫには比較部２０３ａの出力が入力され、クリア端子ＣＬＲにはリセット部２０７ａの入力ポートと接続される。
【００４２】
クロック入力端子ＣＫに入力された比較部２０３ａの出力がＬｏｗレベルからＨｉｇｈレベルに切り替わるとき、Ｄフリップフロップ２０６ａは、データ入力端子ＤよりＨｉｇｈレベルに対応した正電源ＶＣＣをラッチして、このＨｉｇｈレベルを出力端子Ｑより出力する。また、リセット部２０５ａにおいて接地側の１個の出力ポートが選択された場合、クリア端子ＣＬＲが接地され、Ｄフリップフロップ２０６ａはＬｏｗレベルの状態にリセットされる。
【００４３】
以下では、上記のようなＤフリップフロップ２０６ａの出力のことを赤ランプ点灯検出信号Ｄａ１と呼ぶ。つまり、赤ランプ点灯検出信号Ｄａ１がＬｏｗレベルからＨｉｇｈレベルに切り替わったとき、誘起電圧ｖｒが正極側に変化した旨、つまり、赤ランプＲＬに直流電流Ｉｒが流れていない状態（赤ランプＲＬ消灯）から流れる状態（赤ランプＲＬ点灯）に切り替わった旨を表している。また、間接的には、遮断器５２が開状態から閉操作により閉状態に切り替わった旨（補助接点５２ａ２が閉じた旨）を表すことになる。
【００４４】
Ｄフリップフロップ２０７ａは、データ入力端子Ｄ、クロック入力端子ＣＫ、出力端子Ｑ、クリア（リセット）端子ＣＬＲを少なくとも有する。データ入力端子ＤにはＨｉｇｈレベルに対応した正電源ＶＣＣが接続され、クロック入力端子ＣＫには比較部２０４ａの出力が入力され、クリア端子ＣＬＲにはリセット部２０７ａの入力ポートと接続される。
【００４５】
クロック入力端子ＣＫに入力された比較部２０４ａの出力がＬｏｗレベルからＨｉｇｈレベルに切り替わるとき、Ｄフリップフロップ２０７ａは、データ入力端子ＤよりＨｉｇｈレベルに対応した正電源ＶＣＣをラッチして、このＨｉｇｈレベルを出力端子Ｑより出力する。また、リセット部２０５ａにおいて接地側の１個の出力ポートが選択された場合、クリア端子ＣＬＲが接地され、Ｄフリップフロップ２０７ａはＬｏｗレベルの状態にリセットされる。
【００４６】
以下では、上記のようなＤフリップフロップ２０７ｂの出力を赤ランプ消灯検出信号Ｄａ２と呼ぶ。つまり、赤ランプ消灯検出信号Ｄａ２がＬｏｗレベルからＨｉｇｈレベルに切り替わったとき、誘起電圧ｖｒが負電圧側に変化した旨、つまり、赤ランプＲＬに直流電流Ｉｒが流れている状態（赤ランプＲＬ点灯）から流れない状態（赤ランプＲＬ消灯）に切り替わった旨を表している。また、間接的には、遮断器５２が閉状態から開操作により開状態に切り替わった旨（補助接点５２ａ２が開いた旨）を表すことになる。
【００４７】
また、状態信号生成部２２０は、本願請求項に係る第２直流電流の変化の検出結果である第２状態信号の一実施形態である緑ランプ点灯検出信号Ｄｂ１並びに緑ランプ消灯検出信号Ｄｂ２を生成する機能（第２光源状態検出信号生成部）として、差動増幅部２０１ｂ、比較部２０２ｂ（第３比較部）、比較部２０３ｂ（第４比較部）、基準電圧生成部２０４ｂ、リセット部２０５ｂ、Ｄフリップフロップ２０６ｂ（第３フリップフロップ）、Ｄフリップフロップ２０７ｂ（第４フリップフロップ）を備えている。これらの機能は、上述した遮断器５２の閉状態の検出結果を示す緑ランプ点灯検出信号Ｄａ１、Ｄａ２を生成する機能と同様であるため、入出力以外の詳細な説明は省略する。
【００４８】
入力段の差動増幅部２０１ｂは、反転入力端子と非反転入力端子との間に誘起電圧ｖｇが印加されると、その誘起電圧ｖｇに増幅率Ｒ２／Ｒ１を掛け合わせた電圧ｖｇ’が出力される。差動増幅部２０１ｂの出力電圧ｖｇ’は、比較部２０３ｂの非反転入力端子、比較部２０４ｂの反転入力端子に印加される。尚、基準電圧生成部２０２ｂでは、中点より正電源ＶＣＣ側にある可変抵抗より正電圧の基準電圧Ｖｓａ（第３基準電圧）が取り出され比較部２０３ｂの反転入力端子に印加され、中点より負電源ＶＥＥ側にある可変抵抗より負電圧の基準電圧Ｖｒｂ（第４基準電圧）が取り出され比較部２０４ｂの非反転入力端子に印加される。
【００４９】
出力段のＤフリップフロップ２０６ｂ、２０７ｂの出力は、Ｄフリップフロップ２０６ａ、２０７ａの出力と同様に、以下では、緑ランプ点灯検出信号Ｄｂ１と呼び、Ｄフリップフロップ２０７ｂの出力を緑ランプ消灯検出信号Ｄｂ２と呼ぶ。
【００５０】
緑ランプ点灯検出信号Ｄｂ１がＬｏｗレベルからＨｉｇｈレベルに切り替わったとき、誘起電圧ｖｇが正極側に変化した旨、つまり、緑ランプＧＬに直流電流Ｉｇが流れていない状態（緑ランプＧＬ消灯）から流れる状態（緑ランプＧＬ点灯）に切り替わった旨を表している。また、間接的には、遮断器５２が閉状態から開操作により開状態に切り替わった旨（補助接点５２ｂ２が閉じた旨）を表すことになる。
【００５１】
緑ランプ消灯検出信号Ｄｂ２がＬｏｗレベルからＨｉｇｈレベルに切り替わったとき、誘起電圧ｖｇが負電圧側に変化した旨、つまり、緑ランプＧＬに直流電流Ｉｇが流れている状態（緑ランプＧＬ点灯）から流れない状態（緑ランプＧＬ消灯）に切り替わった旨を表している。また、間接的には、遮断器５２が開状態から閉操作により閉状態に切り替わった旨（補助接点５２ｂ２が開いた旨）を表すことになる。
【００５２】
記憶部２４０は、状態信号生成部２２０より生成されて出力された赤ランプ点灯検出信号Ｄａ１、赤ランプ消灯検出信号Ｄａ２、緑ランプ点灯検出信号Ｄｂ１、緑ランプ消灯検出信号Ｄｂ２の各状態を時系列に記憶する。記憶部２４０は、例えばメモリ、ハードディスク、継電器等として実現することができる。
【００５３】
判定部２６０は、記憶部２４０に記憶された赤ランプ点灯検出信号Ｄａ１、赤ランプ消灯検出信号Ｄａ２、緑ランプ点灯検出信号Ｄｂ１、緑ランプ消灯検出信号Ｄｂ２に基づいて、連動して相補的に開閉する補助接点５２ａ２及び補助接点５２ｂ２の開閉特性を判定する機能を有する。さらに、判定部２６０は、開閉器状態の測定前並びに測定後にリセット部２０５ａ、２０５ｂに対してリセット要求を出力する機能を有する。判定部２６０は、例えば、ＣＰＵやマイコン等のプロセッサとして実現することができる。
【００５４】
＝＝＝開閉器状態検出処理＝＝＝
図３は、開閉器状態測定装置２００による開閉器状態検出処理の流れを説明するためのタイミングチャートである。
【００５５】
尚、同図の中で、時刻ｔ０からｔ８の順に時間が経過するものとする。また、同図の中で、補助接点５２ａ２、５２ｂ２は、それぞれＨｉｇｈレベルの時に閉じてＬｏｗレベルの時に開くものとする。また、同図の中で、直流電流Ｉｒ、Ｉｇは、それぞれＨｉｇｈレベルの時に流れてＬｏｗレベルの時に流れないものする。
【００５６】
また、交流電流ｉｒ、ｉｇに応じた誘起電圧ｖｒ、ｖｇとしては、直流電流Ｉｒ、Ｉｇのレベルが一定の場合には０Ｖであり、直流電流Ｉｒ、ＩｇがＨｉｇｈレベルからＬｏｗレベルに立ち下がる時には０Ｖから負電圧側へ急激に立ち下がった後、緩やかに０Ｖに戻るような負の極性の電圧変化が生じ、直流電流Ｉｒ、ＩｇがＬｏｗレベルからＨｉｇｈレベルに立ち上がる時には０Ｖから正電圧側へ急激に立ち上がった後、緩やかに０Ｖに戻るような正の極性の電圧変化が生じるものとする。
【００５７】
まず、時刻ｔ０の前に、開閉器状態測定装置２００がクランプ式交流変流器ＣＴ１、ＣＴ２を用いて開閉制御装置１００とあらかじめ接続されている状態とする。また、遮断器５２が閉状態となっており、補助接点５２ａ２は閉じており、補助接点５２ｂ２は開いている状態とする。従って、電源線１０４ａには直流電流Ｉｒが流れるために赤ランプＲＬが点灯しており、電源線１０４ｂには直流電流Ｉｇが流れないために緑ランプＧＬが消灯している。尚、直流電流Ｉｒ、Ｉｇは一定レベルであるため、クランプ式交流変流器ＣＴ１、ＣＴ２によって計測される交流電流Ｉｒ、Ｉｇに応じた誘起電圧ｖｒ、ｖｇは０Ｖとなっている。
【００５８】
時刻ｔ０では、クランプ式交流変流器ＣＴ１、ＣＴ２の測定を開始するにあたって、判定部２６０からリセット部２０５ａ、２０５ｂに対してリセット要求を出力する。この結果、Ｄフリップフロップ２０６ａ、２０７ａ、２０６ｂ、２０７ｂは全てリセット状態となり、赤ランプ点灯検出信号Ｄａ１、赤ランプ消灯検出信号Ｄａ２、緑ランプ点灯検出信号Ｄｂ１、緑ランプ消灯検出信号Ｄｂ２は全てＬｏｗレベルとなる。
【００５９】
時刻ｔ１では、地絡事故や短絡事故等により遮断器５２の開指令が発生し、補助接点５２ａ２を閉状態から開状態に切り替えた後、引き続いて補助接点５２ｂ２を開状態から閉状態に切り替えるリレー操作が開始される。
【００６０】
時刻ｔ２では、補助接点５２ａ２が閉状態から開状態に完全に切り替わる。これにより、電源線１０４ａには直流電流Ｉｒが流れなくなり、赤ランプＲＬが点灯から消灯に切り替わる。尚、直流電流Ｉｒが流れている状態から流れない状態に切り替わるため、クランプ式交流変流器ＣＴ１によって計測される交流電流ｉｒに応じた誘起電圧ｖｒとしては負電圧側への電圧変化が生じる。
【００６１】
この結果、比較部２０４ａは、誘起電圧ｖｒ’が負電圧の基準電圧Ｖｒａを下回ることを判定し、ＬｏｗレベルからＨｉｇｈレベルに切り替わる比較部２０４ａの出力がＤフリップフロップ２０７ａのクロック入力端子ＣＫに入力される。従って、Ｄフリップフロップ２０７ａより出力される赤ランプ消灯検出信号Ｄａ２は、ＬｏｗレベルからＨｉｇｈレベルに切り替わる。
【００６２】
時刻ｔ３では、補助接点５２ａ２に引き続いて補助接点５２ｂ２が開状態から閉状態に完全に切り替わる。これにより、電源線１０４ｂには直流電流Ｉｇが流れなくなるために緑ランプＧＬが消灯から点灯に切り替わる。尚、直流電流Ｉｇが流れている状態から流れない状態に切り替わるため、クランプ式交流変流器ＣＴ２によって計測される交流電流ｉｇに応じた誘起電圧ｖｇとしては正電圧側への電圧変化が生じる。
【００６３】
この結果、比較部２０３ｂは、誘起電圧ｖｇ’が正電圧の基準電圧Ｖｓｂを上回ることを判定し、ＬｏｗレベルからＨｉｇｈレベルに切り替わる比較部２０３ｂの出力がＤフリップフロップ２０６ｂのクロック入力端子ＣＫに入力される。従って、Ｄフリップフロップ２０６ｂより出力される緑ランプ点灯検出信号Ｄｂ１は、ＬｏｗレベルからＨｉｇｈレベルに切り替わる。
【００６４】
時刻ｔ４では、時刻ｔ１において発生した遮断器５２の開指令に対する遮断器５２の開操作が完了する。このとき、遮断器５２が開状態となっており、補助接点５２ａ２は開いており、補助接点５２ｂ２は閉じている。従って、電源線１０４ａには直流電流Ｉｒが流れないために赤ランプＲＬが消灯しており、電源線１０４ｂには直流電流Ｉｇが流れるために緑ランプＧＬが点灯している。尚、直流電流Ｉｒ、Ｉｇは一定レベルであるため、クランプ式交流変流器ＣＴ１、ＣＴ２によって計測される交流電流Ｉｒ、Ｉｇに応じた誘起電圧ｖｒ、ｖｇは０Ｖとなっている。
【００６５】
時刻ｔ５では、遮断器５２の閉指令が発生し、補助接点５２ａ２を閉状態から開状態に切り替えた後、補助接点５２ｂ２を開状態から閉状態に切り替えるリレー操作が開始される。
【００６６】
時刻ｔ６では、補助接点５２ｂ２が閉状態から開状態に完全に切り替わる。これにより、電源線１０４ｂには直流電流Ｉｇが流れなくなるために緑ランプＧＬが点灯から消灯に切り替わる。尚、直流電流Ｉｇが流れている状態から流れない状態に切り替わるため、クランプ式交流変流器ＣＴ２によって計測される交流電流ｉｇに応じた誘起電圧ｖｇとしては負電圧側への電圧変化が生じる。
【００６７】
この結果、比較部２０４ｂは、誘起電圧ｖｇ’が負電圧の基準電圧Ｖｒｂを下回ることを判定し、ＬｏｗレベルからＨｉｇｈレベルに切り替わる比較部２０４ｂの出力がＤフリップフロップ２０７ｂのクロック入力端子ＣＫに入力される。従って、Ｄフリップフロップ２０７ｂより出力される緑ランプ消灯検出信号Ｄｂ２は、ＬｏｗレベルからＨｉｇｈレベルに切り替わる。
【００６８】
時刻ｔ７では、補助接点５２ａ２が開状態から閉状態に完全に切り替わる。これにより、電源線１０４ａには直流電流Ｉｒが流れるために赤ランプＲＬが点灯から消灯に切り替わる。尚、直流電流Ｉｒが流れていない状態から流れる状態に切り替わるため、クランプ式交流変流器ＣＴ１によって計測される交流電流ｉｒに応じた誘起電圧ｖｒとしては正電圧側への電圧変化が生じる。
【００６９】
この結果、比較部２０３ｂは、誘起電圧ｖｒ’が正電圧の基準電圧Ｖｓｂを上回ることを判定し、ＬｏｗレベルからＨｉｇｈレベルに切り替わる比較部２０３ｂの出力がＤフリップフロップ２０６ｂのクロック入力端子ＣＫに入力される。従って、Ｄフリップフロップ２０６ｂより出力される緑ランプ点灯検出信号Ｄｂ１は、ＬｏｗレベルからＨｉｇｈレベルに切り替わる。
【００７０】
以上により、時刻ｔ０から時刻ｔ８に至るまでの赤ランプ点灯検出信号Ｄａ１、赤ランプ消灯検出信号Ｄａ２、緑ランプ点灯検出信号Ｄｂ１、緑ランプ消灯検出信号Ｄｂ２の各状態が記憶部２４０に時系列に記憶される。判定部２６０は、記憶部２４０に記憶された赤ランプ点灯検出信号Ｄａ１、赤ランプ消灯検出信号Ｄａ２、緑ランプ点灯検出信号Ｄｂ１、緑ランプ消灯検出信号Ｄｂ２の各状態に基づいて、上記のとおり、遮断器５２の開閉特性を、連動して相補的に開閉する補助接点５２ａ２、５２ｂ２の開閉特性として測定する。
【００７１】
具体的には、補助接点５２ａ２が閉状態から開状態に切り替わった後、暫く経過してから補助接点５２ｂ２が開状態から閉状態に切り替わるという特性に着眼し、判定部２６０は、赤ランプ消灯検出信号Ｄａ２がＬｏｗレベルからＨｉｇｈレベルに切り替わった時刻ｔ２（第１直流電流の変化の出現時刻）から、緑ランプ点灯検出信号Ｄｂ２がＬｏｗレベルからＨｉｇｈレベルに切り替わった時刻ｔ３（第２直流電流の変化の出現時刻）までの時間（ｔ３−ｔ２）を検出し、この検出した時間が所定時間よりも超過しているか否かを判定することによって、上記の特性が正常であるか否かを判定することができる。また、判定部２６０は、補助接点５２ａ２、５２ｂ２の開閉特性と併せて、遮断器５２の開閉特性（例えば、開状態から閉状態への切り替わり速度）が正常であるか否かを判定することができる。
【００７２】
また、判定部２６０は、補助接点５２ｂ２が閉状態から開状態に切り替わった後、暫く経過してから補助接点５２ａ２が開状態から閉状態に切り替わるという特性に着眼し、判定部２６０は、緑ランプ消灯検出信号Ｄｂ２がＬｏｗレベルからＨｉｇｈレベルに切り替わった時刻ｔ６（第２直流電流の変化の出現時刻）から、赤ランプ点灯検出信号Ｄａ２がＬｏｗレベルからＨｉｇｈレベルに切り替わった時刻ｔ７（第１直流電流の変化の出現時刻）までの時間（ｔ７−ｔ６）を検出し、この検出した時間が所定時間よりも超過しているか否かを判定することによって、上記の特性が正常であるか否かを判定する。また、判定部２６０は、補助接点５２ａ２、５２ｂ２の開閉特性と併せて、遮断器５２の開閉特性（例えば、開状態から閉状態への切り替わり速度）が正常であるか否かを判定することができる。
【００７３】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【００７４】
例えば、図３に基づく上記の実施の形態の中で、補助接点５２ａ２は閉状態から開状態に切り替わる際に、交流電流ｉｒに応じた誘起電圧ｖｒは負電圧側への電圧変化が生じた後、補助接点５２ｂ２が開状態から閉状態に切り替わる場合に、交流電流ｉｇに応じた誘起電圧ｖｇは正電圧側への電圧変化が生じていたが、クランプ式交流変流器ＣＴ１、ＣＴ２の二次側トランスの巻線方向によっては、誘起電圧ｖｒ、ｖｇは同極性の電圧変化（正電圧側の変化→正電圧側の変化、負電圧側の変化→負電圧側の変化）が生じることとしてもよい。
【００７５】
また、上記の実施の形態の中で、本願請求項に係る第１直流電力の変化の検出結果である第１状態信号の一実施形態として、赤ランプ点灯検出信号Ｄａ１、赤ランプ消灯検出信号Ｄａ２の例を説明したが、これに限られず、例えば、赤ランプ点灯検出信号Ｄａ１並びに赤ランプ消灯検出信号Ｄａ２を排他的論理和等で合成した信号を記憶部２４０に出力してもよい。
【００７６】
同様に、本願請求項に係る第２直流電力の変化の検出結果である第２状態信号の一実施形態として、緑ランプ点灯検出信号Ｄｂ１、緑ランプ消灯検出信号Ｄｂ２の例を説明したが、これに限られず、例えば、緑ランプ点灯検出信号Ｄｂ１並びに緑ランプ消灯検出信号Ｄｂ２を排他的論理和等で合成した信号を記憶部２４０に出力してもよい。
【００７７】
また、上記の実施の形態としては、開閉器として遮断器の場合を示したが、断路器の場合にも適用することができる。尚、この場合、開閉制御装置１００は断路器の開閉制御装置として、開閉器状態測定装置２００は断路器の開閉時の状態を測定する装置として用いることができる。
【図面の簡単な説明】
【００７８】
【図１】本発明の実施の形態に係る遮断器の開閉制御装置の構成を示した図である。
【図２】本発明の実施の形態に係る開閉器状態測定装置の構成と、クランプ式交流変流器を用いた遮断器の開閉制御装置と開閉器状態測定装置との間の非接触な接続が行われることを示した図である。
【図３】本発明の実施の形態に係る遮断器状態検出処理の流れを説明するためのタイミングチャートである。
【図４】従来の開閉器状態測定装置は遮断器の開閉制御装置と電気的に接続されることを示した図である。
【符号の説明】
【００７９】
１００  開閉制御装置
１０２ａ、１０２ｂ  クランプ部
１０４ａ、１０４ｂ  配線
２００  開閉器状態測定装置
２０３ａ、２０３ｂ、２０４ａ、２０４ｂ  比較部
２０２ａ、２０２ｂ  基準電圧生成部
２０６ａ、２０６ｂ、２０７ａ、２０７ｂ  Ｄフリップフロップ
２４０  記憶部
２６０  判定部
ＣＴ１、ＣＴ２  交流クランプ式交流変流器
ＲＬ  赤ランプ
ＧＬ  緑ランプ
【図１】
2010182464.tif 000003
【図２】
2010182464.tif 000004
【図３】
2010182464.tif 000005
【図４】
2010182464.tif 000006